(57)【要約】      （修正有）【課題】災害発生時、親子が同時に被ってその頭部背中の保護を図るとともに避難所においては、親子が一緒になって寝袋として活用できる親子防災頭巾に関する。【解決手段】頭巾体１の上縁辺前部の内側にズレ止め部２を形成し、当該頭巾体の内側に頭巾体と略相似形の小頭巾体１′を重ね合わせ面ファスナーの留め具で仮止めし、頭巾体の長さ方向の下縁辺部を所定位置から内側に折り返す折返し部４を形成して幼児を背負って被れる頭巾とし、頭巾体の折返し部を元に戻し、頭巾体と当該頭巾体から外した小頭巾体の開放前側の縦縁辺に沿ってスライドファスナーをそれぞれ設け、頭巾体と小頭巾体を、その開放側縦縁辺のスライドファスナー同士を隣接させてスライダーを介して閉止して頭巾体と小頭巾体を結合して親子が添い寝できるようにした。【選択図】図６
2016098438.tif 000002
【特許請求の範囲】
【請求項１】
縦長矩形の頭巾体（１）の上縁辺前部にその内側に突出するズレ止め部（２）を形成し、かつ当該頭巾体の内側に頭巾体（１）と略相似形の小頭巾体（１′）を重ね合わせて面ファスナーを可とする留め具（５）で仮止めし、頭巾体の長さ（Ｌ）方向の下半部を所定位置の折返し線（４′）から内側に折り返す折返し部（４）を形成して幼児を背負って被れる頭巾とし、頭巾体（１）の折返し線（４′）から内側に折り返してある折返し部（４）を元に戻し、頭巾体（１）と当該頭巾体から外した小頭巾体（１′）の開放前側の縦縁辺（１ｅ′）・（１ｆ′）に沿ってスライドファスナー（６）・（７）をそれぞれ設け、頭巾体（１）と小頭巾体（１′）を、その開放前側縦縁辺のスライドファスナー（６）・（６′）、（７）・（７′）同士を隣接させてスライダー（８）を介して閉止して頭巾体（１）と小頭巾体（１′）を結合して親子が添い寝できるように構成した親子用寝袋として使用できる親子防災頭巾。
【請求項２】
方形の布からなる頭巾用本体（Ａ）を、その中心から二つ折りして縦長矩形とし、その上縁辺部（１ａ）・（１ｂ）を縫合して頭巾体（１）を形成し、その開放側前端部を斜めに折り込んで縫合して内側に突出するズレ止め部（２）を形成し、縦長矩形の下縁辺部（１ｃ）・（１ｄ）の一方に頭部用枕片（５）を縫着して頭巾体（１）を形成し、頭巾体（１）の開放前側縦辺（１ｅ）・（１ｆ）に沿ってスライドファスナー（６）・（６′）の左右で一対のエレメンツの片方を設けておき、当該頭巾体の横幅（Ｗ）より狭い布からなる小頭巾用本体（Ｂ）を、その中心から二つ折りして小頭巾体（１′）縦長矩形とし、その上縁辺部（１ａ′）・（１ｂ′）を縫合して小頭巾体（１′）を形成し、頭巾体（１）の内側に小頭巾体（１′）を重ねて面ファスナーを可とする留め具（５）で仮止めし、頭巾体（１）の長さ（Ｌ）方向における下半部の所定位置の折返し線（４′）から内側に折り返す折返し部（４）を形成して幼児を背負ったまま被れる頭巾とし、当該小頭巾体の下縁辺（１ｃ′）・（１ｄ′）の一方に頭部用枕片（３′）を縫着し、小頭巾体（１′）の開放前側縦辺（１ｅ′）・（１ｆ′）に沿ってスライドファスナー（７）・（７′）の左右一対のエレメンツを片方ずつ設け、頭巾体（１）と小頭巾体（１′）を、その開放前側縦縁辺のスライドファスナー（６）・（６′）、（７）・（７′）同士を隣接させてスライダー（８）を介して閉止して頭巾体（１）と小頭巾体（１′）を頭部側枕片の位置を合わせた状態で結合して親子が添い寝できるように構成した親子用寝袋として使用できる親子防災頭巾の製造方法。
【発明の詳細な説明】
【技術分野】
【０００１】
本発明は、親子用寝袋として使用できる親子防災頭巾及びその製造方法に関するものであり、災害発生時において、親子が同時に被って、その親子の頭部、背中の保護を図るとともに避難所においては、親子が一緒になって寝袋として活用できる防災頭巾に関するものである。
【背景技術】
【０００２】
従来、防災用頭巾は一人一人が被るものであった。そして、その頭巾で身体を覆う範囲は頭部から肩にかかる部位までであった。
【先行技術文献】
【特許文献】
【０００３】
【特許文献１】特開平１０−２４８９５０
【特許文献２】特開２０１４−１１３４３６
【特許文献３】特開２０１３−２２３７０４
【０００４】
特許文献１は、防災用具として、頭巾はもとより、避難時に身体の略全体を覆えると共に雨合羽としても使用でき、また、傷病者を担架で搬送する際の保温シートとしても使用できる等の多目的に活用できる防災用具の発明が開示されている。
また、特許文献２は、災害時に幼児を背負いながら避難するときに、クッション性のある素材で頭、肩と背部の幼児を覆える構造の親子防災頭巾が開示されている。
そして、特許文献３は、災害時の避難所において防寒用の寝袋にもなる防災頭巾が
開示されている。
【発明の概要】
【発明が解決しようとする課題】
【０００５】
上記の特許文献１の発明は、もっぱら１人用の防護シート及び収納カバーで構成される防災用具である。一方、特許文献２及び特許文献３は、本出願人の出願に係るものであり、特許文献２は、寝袋兼用の防災頭巾であるが、１人用である。また、特許文献３は、親子用使用できる防災用頭巾であるが、寝袋として使用することはできない。要するに、災害避難時において、親子用の遺書になって寄り添って寝ることができる寝袋として使用ができる親子防災頭巾の発明は存在していなかった。
【課題を解決するための手段】
【０００６】
そこで、本発明は従来の課題を解決し、発明の目的を達成するために提供するものである。
【０００７】
本発明の第１は、親子用寝袋として使用できる親子防災頭巾において、
縦長矩形の頭巾体の上縁辺前部にその内側に突出するズレ止め部を形成し、
かつ当該頭巾体の内側に頭巾体と略相似形の小頭巾体を重ね合わせて面ファスナーを可とする留め具で仮止めし、
頭巾体の長さ方向の下半部を所定位置の折返し線から内側に折り返す折返し部を形成して幼児を背負って被れる頭巾とし、
頭巾体の折返し線から内側に折り返してある折返し部を元に戻し、頭巾体と当該頭巾体から外した小頭巾体の開放前側の縦縁辺に沿ってスライドファスナーをそれぞれ設け、頭巾体と小頭巾体を、その開放前側縦縁辺のスライドファスナー同士を隣接させてスライダーを介して閉止して頭巾体と小頭巾体を結合して親子が添い寝できるようにしたものである。
【０００８】
本発明の第２は、親子用寝袋として使用できる親子防災頭巾の製造方法において、
方形の布からなる頭巾用本体を、その中心から二つ折りして縦長矩形とし、その上縁辺部を縫合して頭巾体を形成し、
その開放側前端部を斜めに折り込んで縫合して内側に突出するズレ止め部を形成し、
縦長矩形の下縁辺部の一方に頭部用枕片を縫着して頭巾体を形成し、
頭巾体の開放前側縦辺に沿ってスライドファスナーの左右で一対のエレメンツの片方を設けておき、
当該頭巾体の横幅より狭い布からなる小頭巾用本体を、その中心から二つ折りして小頭巾体縦長矩形とし、
その上縁辺部を縫合して小頭巾体を形成し、
頭巾体の内側に小頭巾体を重ねて面ファスナーを可とする留め具で仮止めし、
頭巾体の長さ方向における下半部の所定位置の折返し線から内側に折り返す折返し部を形成して幼児を背負ったまま被れる頭巾とし、
当該小頭巾体の下縁辺の一方に頭部用枕片を縫着し、
小頭巾体の開放前側縦辺に沿ってスライドファスナーの左右一対のエレメンツを片方ずつ設け、
頭巾体と小頭巾体を、その開放前側縦縁辺のスライドファスナー同士を隣接させてスライダーを介して閉止して頭巾体と小頭巾体を頭部側枕片の位置を合わせた状態で結合して親子が添い寝できるようにしたものである。
【発明の効果】
【０００９】
本発明は上記の構成であるから、幼児を背中に背負って一つの頭巾を被るので、一体化をもって安全に避難行動する行動ができる
【００１０】
また、親と子がそれぞれに被る手間が省ける。そして、頭巾の上辺前部に斜めに中に折り込んだズレ止め部によって、幼児を背負って頭巾を被ったときに当該頭巾が前頭部から後方にずれ落ちることが防止される。
【００１１】
頭巾体の内側後部に小頭巾体を重ね合せたので、特に背負われた幼児の頭部から背中にかけて二重に保護されて安全であり、かつ防寒効果も向上する。
【００１２】
さらに、災害避難所において、大人用と幼児用の長方体を開放側縦辺のファスナー同士はスライダーを介して結合することによって両者が一体化し、親子用の寝袋が出来上がり、防寒用の寝具として用いることができる。
【００１３】
小頭巾体は、その長さが、頭巾体より２分の１弱の長さであるから、頭巾体を下端縁辺部を所定の位置から折り返しても、小頭巾体の下端辺部を二重に折り返す必要がなくなるため、折返し部の嵩張りをなくし、かつ当該折返し部の留め方を簡素化できる。
【００１４】
スライドファスナーは、頭巾用本体の縦長辺の中程から２分して、スライダーを上下にスライドできるので寝袋において、大人用の長い寸法を上半部と下半部に分けて開閉できるので当該寝袋の組立て、分解が用意迅速にできて便利である。
【図面の簡単な説明】
【００１５】
【図１】本発明の係る親子用寝袋として使用できる親子防災頭巾うち、大人の頭巾用本体の展開内面図である。
【図２】幼児の小頭巾用本体の展開内面図である。
【図３】頭巾体の側面図である。
【図４】頭巾体の下端縁辺部を所定位置から内側に折り返した側面図である。
【図５】図４の頭巾体の正面図である。
【図６】頭巾としての使用状態の側面図である。
【図７】頭巾としての使用状態の正面図である。
【図８】頭巾体と小頭巾体をスライドファスナーで隣接して結合した親子用寝袋の平面図である。
【発明を実施するための形態】
【実施例】
【００１６】
以下、本発明を実施するための形態を説明する。
図１において、Ａは、例えば横幅Ｗが７０ｃｍ、長さＬが１４０ｃｍを可とする頭巾体用本体であり、クッション性、防水性又は通気性を備えた一辺が１４０ｃｍをなす正方形の防水性素材を用い、その横全幅Ｗ＋Ｗ方向の中心Ｃから二つ折りして上縁辺部１ａ・１ａ′を縫合してなる。図３〜図５において、２は頭巾体１の上縁辺部の開放側前端部に設けたズレ止め部であり、図示例は長さlが８ｃｍ、深さｄが４ｃｍ程度で斜め内側に折り込んで縫着したものを示す。３は頭巾体１を構成する二つ折り体の一方の下端縁辺部１ｃ・１ｄの一方１ｃに設けた半円形状の枕片部、４は頭巾体１の長さＬ方向の下端縁辺１ｃ・１ｄを所定の位置４′から内側に折り返して面ファスナー等の留め具５で仮止めする折返し部である。
【００１７】
６・６１、６′・６２は、頭巾体１の開放側縦縁辺の全長Ｌに渡って設けた、左右で一対のエレメンツ（＝咬合子）の一方のエレメンツである。その頭巾体１の開放側における両縦縁辺１ｅ・１ｆの長さＬ方向において、上半部の長さＬ１を小頭巾体１′の長さＬ′に合わせ、下半部を残りの長さＬ２に設定する。８はスライドファスナー用のスライダー、９は頭巾体１に前開き部に適宜個所に留め具５または縫着した開け防止片であり、図示例は、細帯形の開け防止片の一方を縫着５ｎし、他方を面ファスナー５で頭巾体１の前側縦縁辺の内側に仮止めするようにしてある。１０は枕片部の半円形玉縁の中空に挿通したフード形成用の絞り紐である。
【００１８】
図２において、小頭巾体用本体Ｂであり、その形状は図１の頭巾体用本体１と略相似形を成している。すなわち、横幅Ｗ′が頭巾体の約２分の１、長さＬが頭巾体１の約１．７分の１ほどの形状である。図３〜５において、７・７′は小頭巾体１′の開放前側における両縦縁辺の長さＬ′方向の全長に渡って設けた、左右で一対のエレメンツ（＝咬合子）のうちの一方のエレメンツ、図８において、８はスライドファスナー用のスライダーである。３′は小頭巾体１′を構成する二つ折り体の下端辺部１ｃ・１ｄの一方１ｃに設けた枕片部である。
【００１９】
[親子防災頭巾としての使用]
本発明に係る親子用寝袋として使用できる親子防災頭巾を、親子防災頭巾として使用する場合は、次のとおりである。すなわち、小頭巾体１′を頭巾体１の内側奥に当てがい、面ファスナー等の留め具５で仮止めする（図３）。この状態で頭巾体１の下半部の折返し部４を折返し線４′から内側に折り返して面ファスナー等の留め具５′で仮止めして防災頭巾を形成する（図４）。
【００２０】
そして、通常は親がおぶい紐等で幼児を背負ってから、頭巾体１を頭から被ると、同時に幼児の頭部は、頭巾体１と共に小頭巾体１′を被ることにより、その頭部および背中を二重に保護する状態になっている。
【００２１】
頭巾体１を被ったときにその上縁辺１ａ・１ｂの前端部はズレ止め部２によって被った顔の前頭部に係止することになり、背負った幼児の動き等に伴って頭巾体１が後ろ側にずれたり、すべり落ちる作用を有効に防止する作用が発揮される。
【００２２】
[親子用寝袋としての使用]
本発明に係る親子用寝袋として使用できる親子防災頭巾を、親子用寝袋として使用する場合は、次のとおりである。
図４における頭巾体１の状態において、頭巾体１の下端縁辺の折返し部４を折返し線４′から元に状態に戻し（図３）、頭巾体１の内部に留め具５′で仮止めしてある小頭巾体９を外す。
【００２３】
次に、頭巾体１の開放側縦縁辺１ｅ・１ｆに沿って隣に小頭巾体１′を、その開放側の縦縁辺１ｅ′・１ｆ′を配置し、閉止する順番は、スライドファスナーを底面側の上半部６′・７′と下半部６１・７１、平面側の長さＬ１の上半部６・７と、長さＬ２の頭巾体１同士の下半部６１・６２とする。
【００２４】
そして、頭巾体１の底面側において、上半部のファスナー６′と小頭巾体１′のファスナー７′をスライダー８で下端側から引き上げて当該上半部のファスナー６′・７′を閉止する。
【００２５】
次に、頭巾体１の平面側において、上半部のファスナー６と小頭巾体１′のファスナー７を合わせてスライダー８で最下端側から引き上げて当該平面側上半部のファスナー６・７を閉止する。
【００２６】
最後に頭巾体１の下半部のファスナー６１・６２同士を合わせてスライダー８で最下端側から引き上げて当該平面側下半部のファスナーを閉止する。
これによって、二つの寝袋が一体化した親子用が出来上がる。（図９）
【産業上の利用可能性】
【００２７】
本発明は、親子用寝袋として使用できる親子防災頭巾のほか、防寒用ないし夏期の野外キャンプにおける寝袋として利用することができる。
【００２８】
また、幼児を背負わない場合にあっては、リュックサックや避難用具入り背負袋等を背負うことができ、且つ避難所においては、幼児用寝袋にリュックや避難用具入り背負袋等を収容しておくことができる。
【符号の説明】
【００２９】
１……頭巾体
１′…小頭巾体
２……ズレ止め
３……頭巾体の枕片部
３′…小頭巾体の枕片部
４……折返し部
５……留め具
６……頭巾体側のスライドファスナー
７……小頭巾体側のスライドファスナー
８……スライドファスナーのスライダー
９……開け防止片
Ｗ……頭巾体の横幅
Ｗ′…小頭巾体の横幅
Ｌ……頭巾体の長さ
Ｌ′…小頭巾体の長さ
Ｌ１… 上半部のスライドファスナー
Ｌ２… 下半部のスライドファスナー
【図１】
2016098438.tif 000003
【図２】
2016098438.tif 000004
【図３】
2016098438.tif 000005
【図４】
2016098438.tif 000006
【図５】
2016098438.tif 000007
【図６】
2016098438.tif 000008
【図７】
2016098438.tif 000009
【図８】
2016098438.tif 000010